(57)【要約】【課題】バッテリコンパートメントに対するバッテリの位置合せが容易になり、しかも、オペレータの運転台への乗降を妨げることがないバッテリ交換用ガイドを提供することを目的とする。【解決手段】バッテリコンパートメント４の周壁９の外面に固定されたガイド受け１１に、脚部１３とガイド板１４とを備えるガイド１２を上から差込む。このガイド板１４は、脚部１３に周壁９と面一状に固定される垂直案内部１５とその右側縁に連続して前記脚部１３の一側方に斜めに延びる傾斜案内部１６とを備える。右方から見た傾斜案内部１６の傾斜方向の投影寸法分だけ位置合せの許容誤差が広がる。【選択図】  図１
2004273276.tif 000002
【特許請求の範囲】
【請求項１】
バッテリコンパートメントの周壁の外面に固定された縦軸溝型のガイド受けと、このガイド受けに上から挿抜されるガイドとを備え、このガイドは、前記ガイド受けに挿抜される脚部と、この脚部の上部に固定されるガイド板とを備え、このガイド板は、前記脚部の片面にバッテリコンパートメントの周壁と面一状に固定される垂直案内部と、この垂直案内板の一側縁に連続して前記脚部の一側方に斜めに延びる傾斜案内部とを備えることを特徴とするバッテリ交換用ガイド装置。
【請求項２】
前記傾斜案内部の先端を脚部の端面からバッテリコンパートメントの周壁の板厚と同等の寸法だけ張出させてあることを特徴とする請求項１に記載のバッテリ交換用ガイド装置。
【請求項３】
前記傾斜案内板に代えて、垂直案内板の上縁に連続して前記脚部の上側に斜めに延びる傾斜案内板を備えることを特徴とする請求項１又は２に記載のバッテリ交換用ガイド装置。
【発明の詳細な説明】
【０００１】
【発明の属する技術分野】
本発明は、バッテリカーに設けられるバッテリ交換用ガイドに関するものである。
【０００２】
【従来の技術】
バッテリフォークリフトなどのバッテリカーにおいては、車体内にバッテリの前後左右の各側面下部に当接する周壁で区画されたバッテリコンパートメントが設けられ、消耗したバッテリを交換する場合、例えば別のフォークリフトで古いバッテリを運び出してから新しいバッテリを積み込む。
【０００３】
図７の側面図に示すように、カウンタバランス型フォークリフトにおいては、車体１の後端部に配置されるバランスウェイト２と車体１の前部に設けられる運転台３との間にバッテリコンパートメント４が設けられる。このバッテリコンパートメント４の上側と左右両側は外板５、６により覆われ、バッテリコンパートメント４の上側を覆う外板５は、バッテリカバーと呼ばれ、バランスウェイト２側に設けたヒンジを中心にして上側に跳ね上げて開くようにしてあり、左右を覆う外板６の一方（又は両方）はその後端側に設けたヒンジを中心にして横に煽って開くようにしてある。
【０００４】
図６の平面図に示すように、バッテリコンパートメント４は、フレーム７の上面に溶接され、バッテリ（実際には多数のセルを収容したバッテリケース）８の下部を前後左右の四方で受止める周壁９とにより区画され、前記外板５、６を開いた後、このバッテリコンパートメント４から例えば別のフォークリフトや、クレーンあるいはホイストを使って古いバッテリを運び出したり、新しいバッテリを運び込んだりする。
【０００５】
この新しいバッテリ８を運び込む際に、バッテリ８をバッテリコンパートメント４の位置に合せることは、別のフォークリフトやクレーンあるいはホイストを操縦するオペレータの操縦技術に頼っている。
【０００６】
【特許文献１】
特開平５−３２１２９号公報
【特許文献２】
特開２００２−３０８５８２号公報
【０００７】
【発明が解決しようとする課題】
しかし、この位置合せの許容誤差は、周壁９とバッテリ８との間に設定された数ｍｍ程度の隙間の範囲内であるので、かなり高度の操縦技術が必要である上、時間が掛るという問題がある。
【０００８】
そこで、図８の斜視図に示すように、前側の周壁９のバッテリ８を出し入れする側の端部にく字形に折り曲げた鋼板製のガイド板１０を溶接することを試みたが、これによれば、このガイド板１０が運転台３にオペレータが乗降するための乗降空間に特異な突起物となるので、オペレータの運転台３への乗降の邪魔になり、例えばオペレータが足やズボンなどの着衣を引っ掛けるおそれがあることが分った。
【０００９】
本発明は、上述した従来技術の課題を解決し、バッテリコンパートメントへのバッテリの位置合せが容易になり、しかも、オペレータの運転台への乗降を妨げることがないバッテリ交換用ガイドを提供することを目的とする。
【００１０】
【課題を解決するための手段】
この目的を達成するため、本発明に係るバッテリ交換用ガイドは、
請求項１に記載しているように、バッテリコンパートメントの周壁の外面に固定された縦軸溝型材からなるガイド受けと、このガイド受けに上から挿抜されるガイドとを備え、このガイドは、前記ガイド受けに挿抜される脚部と、この脚部の上部に固定されるガイド板とを備え、このガイド板は、前記脚部の片面にバッテリコンパートメントの周壁と面一状に固定される垂直案内部と、この垂直案内板の一側縁に連続して前記脚部の一側方に斜めに延びる傾斜案内部とを備えることを特徴とする。
【００１１】
これによれば、バッテリをバッテリコンパートメントに差込む際のバッテリコンパートメントに対するバッテリの位置合せの許容誤差がバッテリ差込み方向から見た傾斜案内部の投影寸法分だけ広がるので、バッテリの位置合せが容易になる。又、不使用時にガイドを反対向きにしてガイド受けに差込むと、ガイドの傾斜案内部が乗降空間への特異な突起物にはならないので、運転者が足を引掻け難くなる。
【００１２】
ここで、請求項２に記載しているように、前記傾斜案内部の先端を脚部の端面からバッテリコンパートメントの周壁の板厚と同等の寸法だけ張出させてあると、向きを反対にしてバッテリ受けに差込んだガイドの傾斜案内部の先端でバッテリを受止めて、バッテリの位置を安定させることに役立たせることができる。
【００１３】
本発明に係る他のバッテリ交換用ガイドは、前記目的を達成するため、請求項３に記載しているように、請求項１又は２に記載された斜め側方に延びる傾斜案内板に代えて、垂直案内板の上縁に連続して前記脚部の上側に斜めに延びる傾斜案内板を備える。
【００１４】
これによれば、バッテリをバッテリコンパートメントに降ろす際のバッテリコンパートメントに対するバッテリの位置合せの許容誤差が上から見た傾斜案内部の傾斜方向の投影寸法分だけ広がるので、バッテリの位置合せが容易になる。
【００１５】
【発明の実施の形態】
以下、本発明の実施例に係るバッテリ交換用ガイドを図面に基づいて具体的に説明する。図面において、図１は本発明が適用されたフォークリフトにおけるフレームの平面図であり、この図１に示すように、このフォークリフトのフレーム７の後寄り中央部の上面には、バッテリコンパートメント４を区画する周壁９が溶接される。
【００１６】
この周壁９の前側部分９ａの右端部外面には、縦軸溝形のガイド受け１１を溶接により固定され、このガイド受け１１に上方からガイド１２が挿抜されるようにしている。
【００１７】
図２はこのガイドの平面図であり、図３はこのガイドの斜視図であり、これら図２と図３とに示すように、このガイド１２は、前記ガイド受け１１に挿抜される角軸状の脚部１３と、この脚部１３の上部に溶接により固定されるガイド板１４とを備えている。
【００１８】
このガイド板１４は、前記脚部１３の片面に前記周壁９の前側部分９ａの後面と面一状に固定される垂直案内部１５と、この垂直案内部１５の右側縁に連続して前記脚部１３の右前側方に斜めに延びる傾斜案内部１６とを備えている。
【００１９】
この傾斜案内部１６の先端は脚部１３の前側端面から前記周壁９前側部分９ａの板厚と同等の寸法だけ張出させてある。
【００２０】
図１に示すように、前記周壁９の左右両側部分９ｂの外面にも、それぞれ縦軸溝形のガイド受け１１が固定され、各ガイド受け１１に別のタイプのガイド１７が上方から挿抜される。
【００２１】
図４はこのガイド１７の正面図であり、図５はこのガイド１７の斜視図であり、これら図４と図５とに示すように、このガイド１７は、対応するガイド受け１１に挿抜される角軸状の脚部１３と、この脚部１３の上部に溶接により固定されるガイド板１８とを備えている。
【００２２】
右側（又は左側）のガイド１７のガイド板１８は、前記脚部１３の片面に前記周壁９の右側部分９ｂ（又は左側部分９ｂ）の後面と面一状に固定される垂直案内部１５と、この垂直案内板１５の上縁に連続して前記脚部１３の右上側方（又は左上側方）に斜めに延びる傾斜案内部１９とを備えている。
【００２３】
この傾斜案内部１９の先端は脚部１３の左側端面（又は右側端面）から前記周壁９前側部分９ａの板厚と同等の寸法だけ張出させる。
【００２４】
なお、コンパートメント４の前側に配置するガイド１２の上縁の高さは左右両側に配置するガイド１７のそれよりも高くしてある。
【００２５】
これらのガイド１２、１７をそれぞれガイド受け１１に差込んでおくと、フレーム７の右方からバッテリをバッテリコンパートメント４に入れる時に、例えばバッテリ差込み方向、即ち、右方から見た傾斜案内部１６の投影寸法分Ｗ１にわたる範囲内でバッテリの位置が前方にずれていても、この傾斜案内部１６を案内にしてバッテリを円滑にバッテリコンパートメント４に押し込むことができる。
【００２６】
即ち、バッテリの差込みに際して、バッテリコンパートメント４に対するバッテリの位置合せの許容誤差が右方から見た傾斜案内部１６の投影寸法分Ｗ１分だけ広がることになるので、バッテリの位置合せが容易になる。
【００２７】
又、このように前側のガイド１２を案内にして、バッテリをその左側面がほぼ周壁９の左側部分９ｂの上方に位置するところまで差込んだ後、バッテリコンパートメント４にバッテリを降ろす時には、傾斜案内部１９の上方から見た傾斜方向の投影寸法Ｗ２分の範囲内で左右にバッテリの位置がずれていても、バッテリが左側のガイド１７の傾斜案内部１９に受止められ、これに案内されて円滑にバッテリコンパートメント４に下がる。
【００２８】
即ち、バッテリコンパートメント４にバッテリを降ろす際の位置合せの許容誤差が上方から見た傾斜案内部１９の傾斜方向の投影寸法部だけ広がるので、バッテリの位置合せが容易になる。
【００２９】
ところで、バッテリをバッテリコンパートメント４に収納した後、前側のガイド１２を抜取り、図２に仮想線で示すように１８０°向きを変えてガイド受け１１に差込むと、傾斜案内部１６の先端が周壁９の前側部分９ａの内面と共にバッテリの前側面を受止めることになるので、バッテリの前後位置を安定させるのに役立つ。
【００３０】
又、この時には、傾斜案内部１６が運転席側に突出しないので、運転台に乗降するオペレータガイド１２に足やズボンなどの着衣を引っ掛ることはなくなり、安全性が高められる。
【００３１】
なお、前記ガイド受け１１の角はオペレータのズボンなどの着衣が引っ掛りにくいように丸めてある。
【００３２】
バッテリをバッテリコンパートメント４に収納した後、右側のガイド１７を抜取り、１８０°向きを変えてガイド受け１１に差込むと、傾斜案内部１９の先端が周壁９の右側部分９ａの内面と共にバッテリの前側面を受止めることになるので、バッテリの左右位置を安定させるのに役立つ。
【００３３】
【発明の効果】
以上に説明したように、本発明のバッテリ交換用ガイドは、バッテリコンパートメントの周壁の外面に固定された縦軸溝型材からなるガイド受けと、このガイド受けに上から挿抜されるガイドとを備え、このガイドは、前記ガイド受けに挿抜される脚部と、この脚部の上部に固定されるガイド板とを備え、このガイド板は、前記脚部の片面にバッテリコンパートメントの周壁と面一状に固定される垂直案内部と、この垂直案内板の一側縁に連続して前記脚部の一側方に斜めに延びる傾斜案内部とを備えることを特徴とするので、バッテリをバッテリコンパートメントに差込む際のバッテリコンパートメントに対するバッテリの位置合せの許容誤差が差込み方向から見た傾斜案内部の傾斜方向の投影寸法分だけ広がるので、バッテリの位置合せが容易になるという効果を得ることができる。又、不使用時にガイドを反対向きにしてガイド受けに差込むと、ガイドの傾斜案内部がバッテリ側に傾斜し、運転者が足を引掻け難くなるという効果を得ることができる。
【００３４】
ここで、前記傾斜案内部の先端を脚部の端面からバッテリコンパートメントの周壁の板厚と同等の寸法だけ張出させてあると、不使用時にガイドを反対向きにしてガイド受けに差込むことにより、ガイドの傾斜案内部の先端でバッテリを受止めて、バッテリの位置を安定させることに役立たせることができる。
【００３５】
次に、本発明に係る他のバッテリ交換用ガイドは、請求項１又は２に記載された斜め側方に延びる傾斜案内板に代えて、垂直案内板の上縁に連続して前記脚部の上側に斜めに延びる傾斜案内板を備えるので、バッテリをバッテリコンパートメントに降ろす際のバッテリコンパートメントに対するバッテリの位置合せの許容誤差が上方から見た傾斜案内部の傾斜方向の投影寸法分だけ広がるので、バッテリの位置合せが容易になるという効果を得ることができる。
【００３６】
ここで、前記傾斜案内部の先端を脚部の端面からバッテリコンパートメントの周壁の板厚と同等の寸法だけ張出させてあると、不使用時にガイドを反対向きにしてガイド受けに差込むことにより、ガイドの傾斜案内部の先端でバッテリを受止めて、バッテリの位置を安定させることに役立たせることができるという効果を得ることができる。
【図面の簡単な説明】
【図１】本発明が適用されたフォークリフトにおけるフレームの平面図である。
【図２】本発明の平面図である。
【図３】本発明の斜視図である。
【図４】本発明の平面図である。
【図５】本発明の斜視図である。
【図６】一般的なフォークリフトにおけるフレームの平面図である。
【図７】一般的なフォークリフトの側面図である。
【図８】本発明に先立つ試行例の斜視図である。
【符号の説明】
４  バッテリコンパートメント
９  周壁
１１  ガイド受け
１２  ガイド
１３  脚部
１４  ガイド板
１５  垂直案内部
１６  傾斜案内部
１７  ガイド
１８  ガイド板
１９  傾斜案内部
【図１】
2004273276.tif 000003
【図２】
2004273276.tif 000004
【図３】
2004273276.tif 000005
【図４】
2004273276.tif 000006
【図５】
2004273276.tif 000007
【図６】
2004273276.tif 000008
【図７】
2004273276.tif 000009
【図８】
2004273276.tif 000010